(57)【要約】本発明は、データを記録するためのメモリ媒体（５）を有する、自動車に搭載されたコンピュータ（３）と、そこからデータを取り込む、自動車の外部のデータ記録媒体（２）とを含む、データ取り込みシステム（１）に関する。データ取り込みシステムは、メモリ媒体（５）がインデックス（ＩＤ）を記録し、インデックス（ＩＤ）は、データの取り込み中に変更され、外部のデータ記録媒体（２）からのデータの上記取り込みが中断された場合に、コンピュータ（３）のメモリ媒体（５）に記録されなかったことがインデックス（ＩＤ）によって確認された、外部のデータ記録媒体（２）のデータの取り込みを再開する手段を含むことを特徴とする。また本発明は、このようなデータ取り込みシステムにおいて使用される、自動車に搭載されるコンピュータ（３）にも関する。
2008513758.tif 000002
【特許請求の範囲】
【請求項１】
データを記録するためのメモリ媒体（５）を有する、自動車に搭載されたコンピュータ（３）と、そこからデータを取り込む、上記自動車の外部のデータ記録媒体（２）とを含む、データ取り込みシステム（１）において、上記メモリ媒体（５）は、インデックス（ＩＤ）を記録し、上記インデックス（ＩＤ）は、上記データの取り込み中に変更され、上記外部のデータ記録媒体（２）からの上記データの上記取り込みが中断された場合に、上記コンピュータ（３）の上記メモリ媒体（５）に記録されなかったことが上記インデックス（ＩＤ）によって確認された、上記外部のデータ記録媒体（２）の上記データの上記取り込みを再開する手段を含むことを特徴とする、データ取り込みシステム。
【請求項２】
上記インデックス（ＩＤ）は、上記コンピュータの上記メモリ媒体に記録された上記データの量を表すように、上記取り込み中に増分され、上記取り込みの上記再開は、上記インデックスによって指示された上記外部のデータ記録媒体の中の位置から、上記データの上記取り込みを再開することによって実行されることを特徴とする、請求項１に記載のデータ取り込みシステム。
【請求項３】
上記コンピュータの作動停止によって上記取り込みが中断され、上記コンピュータの始動によって上記取り込みが開始または再開されることを特徴とする、請求項１または２に記載のデータ取り込みシステム。
【請求項４】
上記コンピュータの上記メモリ媒体に記録される地図データベースの、上記外部のデータ記録媒体（２）からの、記録と更新との少なくとも一方を実行するように設計されることを特徴とする、請求項１〜３のいずれか１つに記載のデータ取り込みシステム。
【請求項５】
上記コンピュータ（３）は、新しいデータベースの上記取り込み中に、上記メモリ媒体（５）へアクセスする読み取り及び書き込み装置を、上記メモリ媒体（５）の他のデータへアクセスするために使用し、上記メモリ媒体（５）は、バッファ装置によって上記データを待機状態に置く、固有のリソースを有し、上記メモリ媒体（５）へローディングされる上記データを待機状態に置くことは、上記コンピュータが、既に存在する古いバージョンの地図データベースや地図データと無関係なデータのような、上記メモリ媒体（５）に存在する上記他のデータを使用するために、または他のデータをローディングするために、上記メモリ媒体（５）にアクセスすることを可能にすることを特徴とする、請求項１〜４のいずれか１つに記載のデータ取り込みシステム。
【請求項６】
ユーザが携帯可能な上記外部のデータ記録媒体（２）以外に、上記コンピュータ（３）の外部のリソースを要することなく、自動車の運転中または停車中に上記データのローディングが実行されるために、上記コンピュータ（３）は、上記メモリ媒体（５）へ上記データをローディングするための手段を有し、読み取りインタフェース（４）が上記コンピュータ（３）に組み込まれ、上記メモリ媒体（５）への上記データの上記ローディングを実行するために必要な上記コンピュータ（３）の外の唯一の装置は上記外部のデータ記録媒体（２）であることを特徴とする、請求項１〜５のいずれか１つに記載のデータ取り込みシステム。
【請求項７】
上記外部のデータ記録媒体（２）の上記データは、ユーザによる使用のために利用可能であり、特に上記外部のデータ記録媒体（２）の上記データの上記メモリ媒体（５）へのローディング中にもユーザによる使用のために利用可能であり、上記コンピュータ（３）は、複数のアプリケーションを同時に実行することを可能にするプロセッサのリソースを使用し、上記外部のデータ記録媒体（２）の上記データの、上記コンピュータ（３）のナビゲーションのアプリケーション上における使用と、上記メモリ媒体（５）へのローディングとが、同時に行われることを特徴とする、請求項１〜６のいずれか１つに記載のデータ取り込みシステム。
【請求項８】
上記コンピュータ（３）は、上記コンピュータ（３）に組み込まれたバージョンと地図データベースの日付スタンプとの比較装置によって、上記メモリ媒体（５）に記録されている地図データベースの、上記外部のデータ記録媒体（２）に記録されている地図データベースに対する古さを確認し、上記メモリ媒体（５）に記録されている上記地図データベースが、上記外部のデータ記録媒体（２）のものよりも後のものであるときには、上記データの上記取り込みは実行されないことを特徴とする、請求項１〜７のいずれか１つに記載のデータ取り込みシステム。
【請求項９】
上記コンピュータ（３）は、上記外部のデータ記録媒体（２）の上記データの信頼性の認識手段を有し、上記コンピュータ（３）は、上記コンピュータ（３）によって知られている、上記外部のデータ記録媒体（２）の供給者の暗号化された署名の読み取りを実行する、上記データの信頼性の検査アプリケーションを始動した後に、上記データのローディングを開始することを特徴とする、請求項１〜８のいずれか１つに記載のデータ取り込みシステム。
【請求項１０】
請求項１〜９のいずれか１つに記載のデータ取り込みシステムにおいて使用される、自動車に搭載されるコンピュータ（３）において、上記外部のデータ記録媒体（２）から取り込まれる上記データが記録され、上記インデックス（ＩＤ）が記録される上記メモリ媒体（５）を含み、上記コンピュータは、上記データの取り込み中に上記インデックス（ＩＤ）を変更し、さらに、上記インデックス（ＩＤ）によって未だ取り込まれていないと指示された上記データのみの、上記外部のデータ記録媒体（２）からの上記取り込みを実行する手段を含むことを特徴とする、コンピュータ。
【請求項１１】
上記メモリ媒体に記録された上記データの量を表すように、上記データの取り込み中に上記インデックス（ＩＤ）を増分する手段と、上記インデックスによって指示された上記外部のデータ記録媒体の中の位置からのみ、上記データの上記取り込みを再開する手段とを含むことを特徴とする、請求項１０に記載のコンピュータ。
【請求項１２】
上記外部のデータ記録媒体（２）から上記データを読み取ることと、読み取られた上記データを、記録するための上記メモリ媒体（５）へ伝達することとに適した読み取りインタフェース（４）を含むことを特徴とする、請求項１０または１１に記載のコンピュータ。
【発明の詳細な説明】
【技術分野】
【０００１】
本発明は、自動車に搭載され、データを記録するためのメモリ媒体が設けられたコンピュータと、自動車の外にあって、そこからデータを取り込むデータ記憶媒体とを含む、データ取り込みシステムに関する。
【０００２】
また本発明は、自動車に搭載され、データ取り込みシステムにおいて使用するためのコンピュータにも関する。
【０００３】
本発明は、自動車に搭載されたコンピュータに、自動車の外の記憶媒体から大量のデータを記録するために有利に適用される。
【０００４】
本発明の応用分野は、自動車に搭載されたコンピュータにおける地図データベースの記録と更新との少なくとも一方の分野である。
【背景技術】
【０００５】
最近、特に電波位置測定システム、例えばＧＰＳ（Ｇｌｏｂａｌ  Ｐｏｓｉｔｉｏｎｉｎｇ  Ｓｙｓｔｅｍ）ナビゲーションシステムの普及によって、自動車の中で地図データを使用することが一般化されている。
【０００６】
このようなシステムを利用可能にするためには、地図データを記録するメモリ媒体を有するコンピュータを自動車に設ける必要がある。
【０００７】
例えば現在地または目的地の周辺の領域に関する地図データは、運転者に対して表示する前に、コンピュータによって読み取られて処理される。
【０００８】
地図データは、一般に、例えばＤＶＤ−ＲＯＭのような、自動車の外の記憶媒体に記録されている。
【０００９】
従って、地図データを利用することができる車載のコンピュータのメモリ媒体へ、地図データを記録することができるように、外部の記憶媒体に記録されたデータを取り込む必要がある。
【００１０】
このようなデータの取り込みは、地図データベースの全ファイルに関することもあるが、地図データベースの更新ファイルのみに関することもある。
【００１１】
しかしながら、このようなデータの取り込みは、コンピュータが作動中、特に自動車も作動中であるときにのみ実行可能である。
【００１２】
しかし、車載のコンピュータに記録するために、外部の記憶媒体から取り込むデータのファイルのサイズが大きいために、データ取り込み時間が大きくなる。
【００１３】
しかしながら、自動車、従って車載のコンピュータが、データ取り込み中に作動を停止することがある。このような場合、データ取り込みが中断され、従ってコンピュータのメモリ媒体の地図データの記録が不完全になる。
【００１４】
従来提案されているデータ取り込みシステムは、地図データの完全な記録が実行可能であるためには、データ取り込み時間中におけるコンピュータの連続作動を必要とする。
【００１５】
従って、自動車が作動停止したとき、またはコンピュータが不時に作動停止したときには、データ取り込みが中断され、また特に自動車の使用者は、データの取り込みが終了するまで自動車を作動し続ける必要があるので、従来のデータ取り込みシステムは満足できるものではない。
【００１６】
文献ＪＰ  ２００１  ２６５３５９は、自動車に取り付けられた装置への音楽ファイルのダウンロードに関する。この文献には、ダウンロードが中断した場合には、ダウンロードの中断に対応する位置をメモリすることが提案されている。従って、ダウンロードは、メモリされたこの位置から再開することができる。
【００１７】
文献ＥＰ  １  １３４  ７４７には、データブロックの形でダウンロードすることが提案されており、データブロックは、連鎖アドレスフィールドを有する。換言すれば、各データブロックは、次のブロックを示すアドレスの形のインデックスを有する。ダウンロードが中断した場合には、最後にダウンロードされたブロックが分かっているので、ダウンロードすることが必要な次のブロックを確定することができ、従ってダウンロードを再開することができる。この文献においては、ブロックの数に等しい数のインデックスが設けられ、各インデックスは関連するデータと共に記録され、固定の値（次のブロックのアドレス）を有する。このシステムの不利な点の一つは、「データブロック」の管理に限られ、システムが正しいアドレスから適切にデータを取り込むことが保証されることを要することである。
【特許文献１】ＪＰ  ２００１  ２６５３５９
【特許文献２】ＥＰ  １  １３４  ７４７
【発明の開示】
【発明が解決しようとする課題】
【００１８】
本発明は、データ取り込みのための改良された解決策を提供することを目的とする。
【課題を解決するための手段】
【００１９】
上記目的を達成するため、本発明は、本発明の第１の特徴によれば、データを記録するためのメモリ媒体を有する、自動車に搭載されたコンピュータと、そこからデータを取り込む、上記自動車の外部のデータ記録媒体とを含む、データ取り込みシステムにおいて、上記メモリ媒体は、インデックスを記録し、上記インデックスは、上記データの取り込み中に変更され、上記外部のデータ記録媒体からの上記データの上記取り込みが中断された場合に、上記コンピュータの上記メモリ媒体に記録されなかったことが上記インデックスによって確認された、上記外部のデータ記録媒体の上記データの上記取り込みを再開する手段を更に含むことを特徴とする、データ取り込みシステムを提供する。
【００２０】
本発明の１つの利点は、コンピュータのメモリ媒体がインデックスを常時記録し、データの取り込み中に変更されるインデックスが、未だ記録されなかったデータを確認することを可能にすることにある。インデックスは、メモリ媒体の特定の場所に記録され、データの取り込み中に変更される。
【００２１】
従って、本発明のデータ取り込みシステムは、自動車の作動停止中はデータの取り込み作業が停止され、自動車が始動されたときには、データの取り込みが中断された箇所から取り込み作業が再開されるという意味において、自動車の作動停止と始動に起因する、データの取り込みの停止と開始が自在に可能なデータの取り込みの操作に適した手段を有する。
【００２２】
本発明の第１の特徴による、望ましいが非限定的な特徴は以下の通りである：
−上記インデックスは、上記コンピュータの上記メモリ媒体に記録された上記データの量を表すように、上記取り込み中に増分され、上記取り込みの上記再開は、上記インデックスによって指示された上記外部のデータ記録媒体の中の位置から、上記データの上記取り込みを再開することによって実行され；
−上記コンピュータの作動停止によって上記取り込みが中断され、上記コンピュータの始動によって上記取り込みが開始または再開され；
−上記コンピュータの上記メモリ媒体上における地図データベースの、上記外部のデータ記録媒体からの、記録と更新との少なくとも一方を実行するように設計される。
【００２３】
本発明の第２の特徴によれば、本発明は、本発明の第１の特徴によるデータ取り込みシステムにおいて使用される、自動車に搭載されるコンピュータにおいて、上記外部のデータ記録媒体から取り込まれる上記データが記録され、上記インデックスが記録される上記メモリ媒体を含み、上記コンピュータは、上記データの取り込み中に上記インデックスを変更し、さらに、上記インデックスによって未だ取り込まれていないと指示された上記データのみの、上記外部のデータ記録媒体からの上記取り込みを実行する手段を含むことを特徴とするコンピュータを提供する。
【発明を実施するための最良の形態】
【００２４】
本発明のその他の特徴、目的及び利点は、非限定的な例として添付図面とともに示される、本発明の望ましい実施の形態の詳細な説明を読むことによって明らかとなるであろう。これらの図面において：
−図１は、本発明の第１の特徴による、データ取り込みシステムの実施の形態を示す図であり；
−図２は、本発明の１実施の形態の流れ図であり；
−図３は、本発明の他の１実施の形態の流れ図である。
【００２５】
これらの図を参照する。図１は、本発明の第１の特徴による、データ取り込みシステム１の実施の形態を示す。
【００２６】
データ取り込みシステム１は、自動車の外の、地図データが記録されたデータ記憶媒体２を含む。
【００２７】
データ記憶媒体２は、地図データベースの１または複数のファイルが記録された、例えばＤＶＤ−ＲＯＭである。
【００２８】
データ取り込みシステム１は、自動車に取り付けられたコンピュータ３も含む。
【００２９】
コンピュータ３は、読み取りインタフェース４とメモリ媒体５を含む。読み取りインタフェース４は、外部のデータ記憶媒体２に記録されたデータを読み取り、読み取られたデータをメモリ媒体５へ伝送することに適している。メモリ媒体５は、読み取りインタフェース４によって読み取られたデータを受けて、記録することに特に適している。
【００３０】
示された例においては、読み取りインタフェース４は、ＤＶＤ−ＲＯＭリーダである。
【００３１】
メモリ媒体５は、コンピュータ３によって使用される地図データを記録するように設計され、特に外部の記憶媒体２から取り込まれたデータを記録するのに適している。
【００３２】
より正確には、メモリ媒体５は、現在使用中のデータのメモリのために設けられたスペースＥＤＥと、新しいデータのメモリのために設けられたスペースＥＤＳを含む。
【００３３】
またメモリ媒体５は、外部のデータ記憶媒体２からコンピュータ３のメモリ媒体５への、本発明によるデータ取り込みを実施するために設けられたスペースＥＡも含む。
【００３４】
勿論、メモリ媒体５は、本発明の対象以外のアプリケーションおよびデータのために設けられたスペースも含むことができる。
【００３５】
コンピュータ３は、外部のデータ記憶媒体２におけるデータを、読み取りインタフェース４を介して読み取り、読み取られたデータをメモリ媒体５に記録し、後に詳細に説明する、未だ取り込まれていないデータを識別することを可能にするインデックスＩＤを作成、更新、および削除することに適した手段を含む。このインデックスＩＤは、例えば、実際に取り込まれて、メモリ媒体５に記録されたデータの量を表すように更新することができる。
【００３６】
さらに、コンピュータ３は、特にコンピュータ３の停止のためにデータの取り込みが中断されたあとでコンピュータ３が再始動されたときに、コンピュータ３のメモリ媒体５に未だ記録されていない外部のデータ記憶媒体２のデータのみについて、この取り込みが再開できるようにすることに適した手段を含む。
【００３７】
本発明が提案するシステムは、このようにして、コンピュータの再始動後に、未だ記録されていないデータのみに関して取り込みを再開することを提案することによって、データ取り込み中におけるコンピュータの予期しない停止に伴う問題を解消することを可能にする。
【００３８】
従って、外部のデータ記憶媒体からのコンピュータへのデータの記録は、コンピュータの１または複数回の中断の影響を受けることはなく、データの取り込みは、コンピュータが停止中のみ一時停止される。
【００３９】
このようにして、データの取り込みは、ユーザにとって分かりやすく実行され、ユーザは、特にデータ取り込みの全体が達成されない間は自動車を作動させ続けなければならないということはない。
【００４０】
このようなデータ取り込みの「一時停止」を可能にするために、メモリ媒体５に記録されたインデックスＩＤは、データ取り込み中に変更され、コンピュータ３の停止およびデータ取り込みの中断の際に、コンピュータ３のメモリ媒体５に未だ記録されていないデータを決定するために使用される。
【００４１】
インデックスＩＤは、実際に取り込まれ、コンピュータ３のメモリ媒体５に記録されたデータの量を表すように、データ取り込み中に、増分することができる。このようにして、データ取り込みの「一時停止」の際に、インデックスＩＤは、そこからデータ取り込みを再開するべき、外部の記憶媒体２の中の位置を指示することを可能にする。
【００４２】
本発明の第１の実施の形態によれば、コンピュータ３のメモリ媒体５に割り当てられたスペースは限定され、一度に１つの地図データベースのみを処理することができる。そこで、外部の記憶媒体２の中に記録された地図データベースの全体は、スペースＥＤＥの中に記録される。従って、外部の記憶媒体２から取り込まれる地図データベースの全体を記録するために要するサイズは、スペースＥＤＥに割り当てられる。
【００４３】
本発明の第２の実施の形態によれば、コンピュータ３は、スペースＥＤＥに記録されたデータと、外部の記憶媒体２から取り込むことによってスペースＥＤＳに記録されるようになるデータを使用する。従って、外部の記憶媒体２から取り込まれる更新データを記録するために要するサイズは、スペースＥＤＳに割り当てられる。
【００４４】
それぞれ図２と図３を参照する以下の説明は、上述の２つの実施の形態について行われる。
【００４５】
図２の流れ図は、コンピュータ３のメモリ媒体５が一度に１つの地図データベースのみを記録することができる、第１の実施の形態の様々なステップを示し、外部の記憶媒体２からより新しいデータベースを取り込む際には、前のデータベースは削除される。
【００４６】
図２におけるコンピュータのスタートステップＥ０に続いて、コンピュータは、第１ステップＥ１において、読み取りインタフェース４を介して、外部の記憶媒体２に記録されているファイルの型を調べる。
【００４７】
外部の記憶媒体２（ＳＥ）が、利用可能な地図データベースＤＳのファイルを有していないなら、すなわち、外部の記憶媒体２（ＳＥ）に含まれているファイル（媒体（ＳＥ））が、利用可能な地図データベースＤＳのファイル（媒体（ＤＳ））でないなら、コンピュータ３は、記録または更新状態へ移行しない。従ってデータの取り込みは行われない。
【００４８】
一方、外部の記憶媒体（ＳＥ）が、利用可能な地図データベース（ＤＳ）のファイルを有しているなら、次の第２ステップＥ２において、外部の記憶媒体ＳＥから利用可能な地図データベースＤＳのサイズ（サイズ（ＤＳ））が、コンピュータ３（ＣＥ）のメモリ媒体５（ＣＥＳ）に割り当てられたスペース（スペース（ＣＥＳ））と比較される。
【００４９】
外部の記憶媒体ＳＥにおける地図データベースＤＳのサイズが、コンピュータＣＥのメモリ媒体ＣＥＳに割り当てられたスペースよりも大きいなら、データの取り込みは実行されない。
【００５０】
一方、外部の記憶媒体ＳＥにおける地図データベースＤＳのサイズが、コンピュータＣＥのメモリ媒体ＣＥＳに割り当てられたスペースよりも小さいなら、次の第３ステップＥ３において、コンピュータは、コンピュータがメモリ媒体ＣＥＳに既に有している地図データベースＤＥのバージョンが、外部の記憶媒体ＳＥにおける地図データベースＤＳのバージョンと同じか否かを確認する。
【００５１】
この場合、コンピュータは、メモリ媒体に記録されている地図データベースＤＥのバージョン番号（ＤＥ）を、外部の記憶媒体から利用可能な地図データベースＤＳのバージョン番号（ＤＳ）と比較する。
【００５２】
コンピュータのメモリ媒体に記録されている地図データベースＤＥが最新のものであれば、データの取り込みは実行されない。
【００５３】
一方、外部の記憶媒体から利用可能な地図データベースＤＳが最新のものであれば、コンピュータのメモリ媒体に記録されている地図データベースＤＥ（古い）は、第４ステップＥ４において削除される（削除（ＤＥ））。
【００５４】
そこで、記録されるデータのスペースＥＤＥに、スペースＥＤＥへ取り込まれる外部の記憶媒体の地図データベースＤＳのサイズを割り当てる。この割り当ては、コンピュータのメモリ媒体に如何なるバージョンの地図データベースも記録されていない時にも実行され、外部の記憶媒体において利用可能な地図データベースＤＳのバージョンが指定されて取り込まれる。
【００５５】
また、コンピュータは、ゼロの値と、地図データベースＤＳのサイズに相当するファイルの終りポインターＥＯＦ（Ｅｎｄ  Ｏｆ  Ｆｉｌｅ  Ｐｏｉｎｔｅｒ）が書き込まれたファイルによって、スペースＥＤＥを初期化する。
【００５６】
第５ステップＥ５において、コンピュータはインデックスＩＤを作成して、インデックスＩＤを０の値に初期化する。インデックスＩＤは、外部の記憶媒体ＳＥからコンピュータＣＥのメモリ媒体ＣＥＳへの、各データパケットの取り込み見が終わる毎に増分される。このデータパケットは、例えば１ｋｉｌｏｂｙｔｅである、所定のデータの量に相当する。
【００５７】
第６ステップＥ６において、コンピュータは、読み取りインタフェースを介してデータの取り込みを開始する。外部の記憶媒体ＳＥにおける読み取りは、インデックスＩＤによって指定される位置におけるデータパケットから実行される。
【００５８】
コンピュータは、インデックスＩＤによって指定される位置に該当するデータパケットをメモリ媒体に記録する。そのとき、インデックスＩＤは、上の値（ＩＤ＋１）へ増分される。コンピュータは、外部の記憶媒体における次のデータパケットへアクセスする。インデックスＩＤの値がポインターＥＯＦの値と異なる間、すなわち、地図データベースの全体の取り込みが完了しない間は、これを繰り返す。
【００５９】
しかしながら、外部の記憶媒体から、コンピュータのメモリ媒体への、データの完全な取り込みの前にコンピュータが停止されたときには、コンピュータは、再スタート時に、インデックスＩＤの存在を確認する（第７ステップＥ７）。
【００６０】
インデックスＩＤが作成されていなければ（ＩＤ＝ＮＩＬ）、コンピュータは、先に説明した第１ステップＥ１へ戻る。
【００６１】
一方、インデックスＩＤが存在すれば（ＩＤ＜＞ＮＩＬ）、コンピュータは、第６ステップＥ６において先に説明したような操作を実行することによって、コンピュータが停止されたときに一時停止されていたデータの取り込みを継続する。
【００６２】
データの取り込みが完了したときには、コンピュータはインデックスＩＤを削除する（削除（ＩＤ））。
【００６３】
図３の流れ図は、コンピュータがスペースＥＤＥに記録されたデータと、外部の記憶媒体から取り込むことによってスペースＥＤＳに記録されるようになる更新データとを使用する、先に説明した第２の実施の形態の様々なステップを示す。
【００６４】
ステップＥ０と、第１ステップＥ１と、第２ステップＥ２と、第３ステップＥ３は、先に説明したものに類似している。
【００６５】
第４ステップＥ４’は、コンピュータのメモリ媒体の新しいデータのスペースＥＤＳへの、取り込む地図データベースＤＳのサイズの割り当てに関する。
【００６６】
第５ステップＥ５は、先に説明したものに類似している。
【００６７】
データの取り込みは、この場合は外部の記憶媒体のデータがスペースＥＤＳへ取り込まれることを除いて、第６ステップＥ６の際に先に示したものと同様に実施される。
【００６８】
特に、コンピュータが停止されたときには、データの取り込みは一時停止されるが、コンピュータの再始動と同時に、インデックスＩＤによって指示される、データの取り込みが中断された箇所から、データの取り込みを継続することが可能である。
【００６９】
データの取り込みが完了したときには、コンピュータはインデックスＩＤを削除し、スペースＥＤＳのデータをスペースＥＤＥへコピーし、スペースＥＤＳを初期化する。
【００７０】
コンピュータ３は、コンピュータ３のメモリ媒体５への読み取り及び書き込装置を使用する。メモリ媒体５は、バッファー装置によってデータを使用待機（スタンバイ）状態に置くための、固有のリソース（資源）を有する。メモリ媒体５へローディングするデータを待機状態に置くことは、コンピュータが、既に存在する古いバージョンの地図データベースや、地図データベースとは関係のない他のデータのような、メモリ媒体５に存在する他のデータを使用するため、または他のデータをローディングするために、メモリ媒体５へアクセスすることを可能にする。このように、このシステムは、ユーザにとって分かりやすいデータの取り込み操作中にも、ユーザによるシステムの常続的な使用を可能にするのに適した手段を含む。古いバージョンのデータは、システムのメモリ媒体に既に存在しており、ユーザによってアクセス可能である。
【００７１】
自動車のコンピュータ３は、メモリ媒体５へのデータのローディングのための全ての手段を有しており、読み取りインタフェース４はコンピュータ３に組み込まれており、メモリ媒体５へのデータのローディングを実行するために必要なコンピュータの外部の、唯一の装置は、外部のデータ記憶媒体２である。従って、データのローディングは、運転者が携帯可能な外部のデータ記憶媒体２以外には、コンピュータ３の外部の手段を要することなしに、運転中でも停車中でも実行することができる。このように、このシステムは、運転中にも停車中と同様にデータの取り込み操作に適した手段を有している。
【００７２】
外部のデータ記憶媒体２のデータは、メモリ媒体５へのローディング中にも、ユーザによって利用可能である。コンピュータ３は、複数のアプリケーションを同時に実行することを可能にするプロセッサの装置を利用する。外部のデータ記憶媒体２のデータとメモリ媒体５へローディングされているデータは、コンピュータ３のナビゲーションのアプリケーションのために同時に利用される。このように、システムは、システムのメモリ媒体に既に存在する古いバージョンのデータへのユーザによるアクセスの要求が、装置がユーザの要求に応えることができるためにデータの取り込みのスループット（ｔｈｒｏｕｇｈｐｕｔ（コンピュータが単位時間内に処理することが可能な情報量））を制限するという意味において、データの取り込み操作の装置によって考慮に入れられるのに適した手段を有する。
【００７３】
コンピュータ３は、メモリ媒体５に記録されている地図データベースの、外部のデータ記憶媒体２に記録されている地図データベースに対する古さを、コンピュータ３に組み込まれた、バージョンと地図データベースの日付スタンプの比較装置によって確認する。メモリ媒体５に記録されている地図データベースが、外部のデータ記憶媒体２に記録されている地図データベースよりも後のものであれば、ローディングは実行されない。このように、システムは、システムに既に存在するデータのバージョンの、取り込まれるデータのバージョンに対する古さを確かめるのに適した手段を有する。
【００７４】
最後に、コンピュータ３は、外部のデータ記録媒体２の上記データの信頼性の認識手段を有する。コンピュータ３は、コンピュータ３によって知られている、外部のデータ記録媒体２の供給者の暗号化された署名の読み取りを実行する、データの信頼性の検査アプリケーションを始動した後に、データのローディングを開始する。このように、データ取り込みシステムは、さまざまなセキュリティ手段によって、システムに取り込まれるデータの信頼性を確認するための手段を有する。セキュリティ手段は、データの提供者による製品の署名に加えて、不正な複製の可能性に対するプロテクション（ｐｒｏｔｅｃｔｉｏｎ（保護））であることができる。
【図面の簡単な説明】
【００７５】
【図１】本発明の第１の特徴による、データ取り込みシステムの実施の形態を示す図である。
【図２】本発明の１実施の形態の流れ図である。
【図３】本発明の他の１実施の形態の流れ図である。
【図１】
2008513758.tif 000003
【図２】
2008513758.tif 000004
【図３】
2008513758.tif 000005
【国際調査報告】
2008513758.tif 000006
2008513758.tif 000007
2008513758.tif 000008
2008513758.tif 000009
2008513758.tif 000010
2008513758.tif 000011